(57)【要約】【課題】地震発生時に該地震の震度を直ちに検出してこれを表示するにとどまらず、更に進んで、該震度に応じた対処方法を直ちに音声により告知するようにした家庭用小型地震計を提供する。【解決手段】地震の揺れを計測する計測手段（２）と、該計測手段が出力した信号に基づいて震度を決定すると共に該震度と地震発生日時とをメモリ登録する制御手段（３）と、該制御手段から出力された震度を表示し又はメモリ登録された震度と地震発生日時とを表示する表示手段（５ａ）と、該震度と該震度に応じた対処方法とを音声により告知する音声手段（５ｂ）とを備えていることを特徴とする家庭用小型地震計。更に、家庭用小型地震計には、前記制御手段から出力された震度が一定値以上のときに点灯する照明手段（５ｃ）を備えさせてもよい。【選択図】図２
0003109985.tif 000002
【実用新案登録請求の範囲】
【請求項１】
地震の揺れを計測する計測手段と、該計測手段が出力した信号に基づいて震度を決定すると共に該震度と地震発生日時とをメモリ登録する制御手段と、該制御手段から出力された震度を表示し又はメモリ登録された震度と地震発生日時とを表示する表示手段と、該震度と該震度に応じた対処方法とを音声により告知する音声手段とを備えていることを特徴とする家庭用小型地震計。
【請求項２】
地震の揺れを計測する計測手段と、該計測手段が出力した信号に基づいて震度を決定すると共に該震度と地震発生日時とをメモリ登録する制御手段と、該制御手段から出力された震度を表示し又はメモリ登録された震度と地震発生日時とを表示する表示手段と、該震度と該震度に応じた対処方法とを音声により告知する音声手段と、前記制御手段から出力された震度が一定値以上のときに点灯する照明手段とを備えていることを特徴とする家庭用小型地震計。
【請求項３】
バッテリを内設させたことを特徴とする請求項１又は２に記載の家庭用小型地震計。
【請求項４】
前記バッテリを用いた任意の照明を可能とする懐中電灯機能を備えさせたことを特徴とする請求項３に記載の家庭用小型地震計。
【請求項５】
前記バッテリにより携帯電話に充電することができるようにするためにジャックを備えさせたことを特徴とする請求項３又は４に記載の家庭用小型地震計。
【考案の詳細な説明】
【技術分野】
【０００１】
本考案は、家庭用小型地震計に関するものであり、特に、一般家庭において、地震発生時に該地震の震度を直ちに検出してこれを表示すると共に、該震度に応じた対処方法を直ちに音声により告知するようにした家庭用小型地震計に係るものである。
【背景技術】
【０００２】
地震発生時には、該地震の震度に応じた対処方法（対処手段）を直ちに講ずる必要がある。しかるに、一般家庭においては、地震発生時に揺れを感じても、テレビやラジオ等による発表があるまでの間は、震度等の地震情報を得ることができない。従って、該地震の震度に応じた対処方法を直ちに講ずることができない。
【０００３】
また、テレビ、ラジオ等を介して震度等の地震情報を得たときでも、発表された震度は各地域における地震計が感知した震度に過ぎないものであり、自己の居場所における現実の震度とは異なる場合がある。即ち、自己の居場所と該地震計との間の距離、自己の居場所と震源との間の距離、自己の居場所の地盤、自己の居場所を構成する建物の構造ないし階層等により、テレビ、ラジオ等を介して発表された自己の居場所が属する地域の震度は、自己の居場所における現実の震度とは異なることが往々にしてあり得るのである。従って、テレビ、ラジオ等を介して震度等の地震情報を得たときでも、自己の居場所における現実の震度に応じた対処方法を講ずることができないことがある。
【０００４】
このような状況に鑑み、実用新案登録第３０３３７８７号公報は、地震発生時に直ちに該地震の震度を感知すると共に該震度を表示するようにした震度計を内蔵した時計を開示している。
【０００５】
この震度計を内臓した時計（以下単に「従来の時計」という。）によれば、自己の居場所における現実の震度を直ちに知ることができる。
【特許文献１】実用新案登録第３０３３７８７号公報
【考案の開示】
【考案が解決しようとする課題】
【０００６】
しかるに、上記従来の時計は、自己の居場所における現実の震度を表示するにとどまり、該震度に応じた対処方法を告知する手段を備えていない。
【０００７】
一般人においては、仮に、地震発生時に自己の居場所における現実の震度を知り得たとしても、実際にその場で具体的に何をすべきかを瞬時に判断することは極めて困難である。地震発生時には、人は往々にして平常心を失うものである。地震発生時に、自己の居場所における現実の震度を例えば「５」「６」等の数値により知ったとしても、該震度に応じた最も望ましい行動をその場で瞬時に行なうことを一般人に要求することは適当でない。
【０００８】
そこで、本考案は、地震発生時に該地震の震度を直ちに検出してこれを表示するにとどまらず、更に進んで、該震度に応じた対処方法を直ちに音声により告知するようにした家庭用小型地震計を提供しようとしてなされたものである。
【課題を解決するための手段】
【０００９】
上記課題を解決するために、本考案は、下記の家庭用小型地震計を提供するものである。
【００１０】
（１）地震の揺れを計測する計測手段と、該計測手段が出力した信号に基づいて震度を決定すると共に該震度と地震発生日時とをメモリ登録する制御手段と、該制御手段から出力された震度を表示し又はメモリ登録された震度と地震発生日時とを表示する表示手段と、該震度と該震度に応じた対処方法とを音声により告知する音声手段とを備えていることを特徴とする家庭用小型地震計（請求項１）。
【００１１】
（２）地震の揺れを計測する計測手段と、該計測手段が出力した信号に基づいて震度を決定すると共に該震度と地震発生日時とをメモリ登録する制御手段と、該制御手段から出力された震度を表示し又はメモリ登録された震度と地震発生日時とを表示する表示手段と、該震度と該震度に応じた対処方法とを音声により告知する音声手段と、前記制御手段から出力された震度が一定値以上のときに点灯する照明手段とを備えていることを特徴とする家庭用小型地震計（請求項２）。
【００１２】
（３）前記家庭用小型地震計にバッテリを内設する（請求項３）。
【００１３】
（４）前記バッテリを用いた任意の照明を可能とする懐中電灯機能を前記家庭用小型地震計に備えさせる（請求項４）。
【００１４】
（５）前記バッテリにより携帯電話に充電することができるようにするためにジャックを前記家庭用小型地震計に備えさせる（請求項５）。
【００１５】
［考案の作用］
［請求項１の考案］
計測手段は、地震発生時に地震の揺れを計測する。制御手段は、該計測手段が出力した信号に基づいて震度を決定すると共に該震度と地震発生日時とをメモリ登録する。表示手段は、該制御手段から出力された震度を表示し又はメモリ登録された震度と地震発生日時とを表示する。音声手段は、該震度と該震度に応じた対処方法とを音声により告知する。
【００１６】
家庭用小型地震計の使用者は、地震発生時に、表示手段により表示された震度を目視により知ると共に、音声手段が発する音声により該震度と該震度に応じた対処方法とを知ることができる。
【００１７】
また、使用者は、制御手段にメモリ登録された震度と地震発生日時とを、地震発生後、必要に応じて、表示手段に表示させて確認することができる。
【００１８】
［請求項２の考案］
請求項２の考案に係る家庭用小型地震計は、請求項１の考案に係る家庭用小型地震計に照明手段を付加してなるものである。照明手段は、前記制御手段から出力された震度が一定値以上のときに点灯する。
【００１９】
［請求項３の考案］
請求項３の考案に係る家庭用小型地震計は、バッテリを内設しているため、停電時においても使用することができる。
【００２０】
［請求項４の考案］
請求項４の考案に係る家庭用小型地震計は、前記バッテリを用いた任意の照明を可能とする懐中電灯機能を備えているため、夜間の停電時等には懐中電灯として使用することもできる。
【００２１】
［請求項５の考案］
請求項５の考案に係る家庭用小型地震計は、ジャックを介して前記バッテリにより携帯電話に充電することができる。
【考案の効果】
【００２２】
［請求項１の考案］
家庭用小型地震計の使用者は、地震発生時に、表示手段により表示された震度を目視により知ると共に、音声手段が発する音声により該震度と該震度に応じた対処方法とを知ることができる。従って、使用者は、震度に応じた最も望ましい行動をその場で瞬時に行なうことができる。
【００２３】
また、使用者は、制御手段にメモリ登録された震度と地震発生日時とを、地震発生後、必要に応じて、表示手段に表示させて確認することができる。
【００２４】
［請求項２の考案］
請求項２の考案に係る家庭用小型地震計は、制御手段から出力された震度が一定値以上のときに点灯する照明手段を備えているため、夜間等の暗時に一定の震度以上の地震が発生したときに、照明が確保される。
【００２５】
［請求項３の考案］
請求項３の考案に係る家庭用小型地震計は、バッテリを内設しているため、停電時においても使用することができる。
【００２６】
［請求項４の考案］
請求項４の考案に係る家庭用小型地震計は、バッテリを用いた任意の照明を可能とする懐中電灯機能を備えているため、夜間の停電時等には懐中電灯として使用することもできる。
【００２７】
［請求項５の考案］
請求項５の考案に係る家庭用小型地震計は、ジャックを介して前記バッテリにより携帯電話に充電することができる。
【考案を実施するための最良の形態】
【００２８】
図１は、本考案による家庭用小型地震計１の一例を示す正面図である。
【００２９】
家庭用小型地震計１は、一般家庭、事務所等における適宜の位置に配設する。
【００３０】
符号２に示すものは、地震の揺れを計測する計測手段である。計測手段２は、地震の揺れを計測すると共にその揺れに応じて信号を出力する。
【００３１】
計測手段２は、一例として、振動センサ２ａと振動センサ２ｂとを水平方向に相互に９０°位相をずらして配設してなるＸ、Ｙ２軸の振り子式振動センサとする。
【００３２】
符号３に示すものは、制御手段である。制御手段３は、計測手段２が出力した信号に基づいて震度を決定すると共に該震度と地震発生日時とをメモリ登録する。
【００３３】
図２に示す事例における制御手段３は、Ａ／Ｄ変換部３ａと、演算処理部３ｂと、メモリ３ｃとを備えている。
【００３４】
Ａ／Ｄ変換部３ａは、計測手段２が出力した信号をＡ／Ｄ変換する。
【００３５】
演算処理部３ｂは、一例として、変換された値と基準値との差分をＸ軸とＹ軸とについて取得し、取得したデータをベクトル計算し、メモリ３ｃ内の震度（「１」〜「７」）のデータテーブルと比較して震度を決定する。
【００３６】
メモリ３ｃは、地震の震度と地震発生日とをメモリ登録する。一例として、メモリ３ｃは、震度２以上の地震については、震度と発生日とを最大で１０件メモリ登録する
【００３７】
符号４に示すものは操作手段である。操作手段４は、家庭用小型地震計１の各部を操作するための手段である。図示の事例においては、操作手段４として、ボタン４ａ、ボタン４ｂ、ボタン４ｃが配設されている。
【００３８】
符号５に示すものは、伝達手段である。
【００３９】
図示の事例における伝達手段５は、表示手段５ａと、音声手段（スピーカ）５ｂと、照明手段５ｃとを備えている。
【００４０】
表示手段５ａは、制御手段３から出力された震度を表示し又はメモリ登録された震度と地震発生日時とを表示する。表示手段５ａは、文字、数字、記号、図形等によりこれらの情報を表示する。即ち、表示手段５ａは、視覚を通じてこれらの情報を伝達する。表示手段５ａは、一例として、液晶により情報を表示する。
【００４１】
音声手段５ｂは、震度と該震度に応じた対処方法とを音声により告知する。即ち、音声手段５ｂは、聴覚を通じてこれらの情報を伝達する。
【００４２】
音声手段５ｂは、震度と該震度に応じた対処方法とを音声により例えば次のように告知する。なお、操作手段４のボタン操作により、例えば震度１〜２の場合に限り、音声手段５ｂが作動しないようにすることも可能である。
【００４３】
震度１の場合
警鐘音（例えば「ピン・ポン・ポン・ポーン」、以下同じ。）に続いて、下記の音声を発する。
「ただいま、震度１の揺れがありました。」
「非常時の備えは大丈夫ですか？」
【００４４】
震度２の場合
警鐘音に続いて、下記の音声を発する。
「ただいま、震度２の揺れがありました。」
「非常時の備えは大丈夫ですか？」
「テレビ、ラジオなどの情報に注意して下さい。」
【００４５】
震度３の場合
警鐘音に続いて、下記の音声を発する。
「ただいま、震度３の揺れがありました。」
「落下物などに注意して下さい。」
「ガスの元栓を閉めて下さい。」
「テレビ、ラジオなどの情報に注意して下さい。」
【００４６】
震度４の場合
警鐘音に続いて、下記の音声を発する。
「ただいま、震度４の揺れがありました。」
「靴、スリッパなどを履いて行動して下さい。」
「落下物などに注意して下さい。」
「ガスの元栓を閉めて下さい。」
「テレビ、ラジオなどの情報に注意して下さい。」
【００４７】
震度５弱の場合
警鐘音に続いて、下記の音声を発する。
「ただいま、震度５弱の揺れがありました。」
「落ち着いて行動して下さい。」
「揺れが収まるまでテーブルの下など安全な所に隠れて下さい。」
「靴、スリッパなどを履いて行動して下さい。」
「落下物などに注意して下さい。」
「避難口を確保して下さい。」
「ガスの元栓を閉めて下さい。」
「災害情報に注意して下さい。」
「避難する場合は、ブレーカーを落して下さい。」
【００４８】
震度５強以上（６弱、６強、７）の場合
警鐘音に続いて、下記の音声を発する。
「ただいま、震度５強（６弱、６強、７）の揺れがありました。」
「落ち着いて行動して下さい。」
「揺れが収まるまでテーブルの下など安全な所に隠れて下さい。」
「靴、スリッパなどを履いて行動して下さい。」
「落下物などに注意して下さい。」
「避難口を確保して下さい。」
「ガスの元栓を閉めて下さい。」
「災害情報に注意して下さい。」
「避難する場合は、ブレーカーを落して下さい。」
「救急の場合は、１１９番又は近くの人に連絡して下さい。」
【００４９】
照明手段５ｃは、前記制御手段３から出力された震度が一定値以上のとき（例えば震度３以上のとき）に点灯して照明する。照明手段５ｃは、一例として、ＬＥＤとする。
【００５０】
符号６に示すものは、電源手段である。
【００５１】
電源手段６は、ＡＣアダプタ接続用のジャック６ａと、バッテリ６ｂと、携帯電話充電用のジャック６ｃとを備えている。
【００５２】
家庭用小型地震計は、常時においては、ＡＣアダプタ接続用のジャック６ａを介して交流電源を使用する。
【００５３】
家庭用小型地震計は、バッテリ６ｂを用いた任意の照明を可能とする懐中電灯機能を有する。この懐中電灯機能は、特に非常時に使用されるが、常時使用可能である。
【００５４】
家庭用小型地震計は、バッテリ６ｂを備えているため、停電時又は交流電源を使用することができない場所においても、支障なく使用することができ。
【００５５】
なお、地震発生時以外の平時に家庭用小型地震計を人為的に揺らし、各震度における対処方法を音声手段５ｂに告知させることにより、各震度における対処方法を各人が予め記憶しておくことが望ましい。
【図面の簡単な説明】
【００５６】
【図１】本考案による家庭用小型地震計の一例を示す正面図である。
【図２】同上家庭用小型地震計の回路概略図である。
【図３】同上家庭用小型地震計における処理の一例を示す流れ図である。
【符号の説明】
【００５７】
１  家庭用小型地震計
２  計測手段
２ａ  振動センサ
２ｂ  振動センサ
３  制御手段
３ａ  Ａ／Ｄ変換部
３ｂ  演算処理部
３ｃ  メモリ
４  操作手段
４ａ  ボタン
４ｂ  ボタン
４ｃ  ボタン
５  伝達手段
５ａ  表示手段
５ｂ  音声手段
５ｃ  照明手段
６  電源手段
６ａ  ＡＣアダプタ接続用のジャック
６ｂ  バッテリ
６ｃ  携帯電話充電用のジャック
【図１】
0003109985.tif 000003
【図２】
0003109985.tif 000004
【図３】
0003109985.tif 000005